(57)【特許請求の範囲】
【請求項１】
第１水平部と、この第１水平部に続く下向きの斜辺部と、この斜辺部に続く第２水平部とが一体形成された端子ピンであって、第１水平部の基部側を鉄心またはボビンに横向きに植設固着し、かつ、この第１水平部にコイル端部を止着し、第２水平部を配線基板の板面に面上半田する構成の電気巻線部品用端子ピンにおいて、
前記第１水平部の前記斜辺部側となるピン部分を上方に向かって突出させるように折り曲げ形成した段部を設け、
この段部によってコイル端部の抜け出しを係止するように構成したことを特徴とする電気巻線部品用端子ピン。
【発明の詳細な説明】
【０００１】
【発明の属する技術分野】
本発明は、例えば、小形トランスやチョ−クコイルなどの電気巻線部品に利用するところの端子ピンに関する。
【０００２】
【従来の技術】
電気巻線部品に備える端子ピンには様々なものがあるが、プリント配線基板等に面上半田付けする電気巻線部品の一例を図６に示す。
この電気巻線部品が備える電気絶縁性材のボビン１１は、角筒状の巻線部１１ａの両側に鍔１１ｂ、１１ｃが一体形成され、鍔１１ｂ、１１ｃの下方には肉厚形成された台形部１１ｄ、１１ｅが設けられ、この台形部１１ｄ、１１ｅに複数の端子ピン１２が植設されている。
【０００３】
端子ピン１２は、斜辺部１２ａの両側を水平に形成した導電材で、第１水平部１２ｂが上記台形部１１ｄ、１１ｅに植設されてカニ足状に固着されている。
そして、上記した第１水平部１２ｂにはボビン１１の巻線部１１ａに巻線したコイルの端部がからげられ、第２水平部１２ｃはプリント配線基板面の所定位置に載置される。
【０００４】
なお、第１水平部１２ｂにからげたコイル端部は半田付け等によって端子ピン１２に固着され、また、第２水平部１２ｃはプリント配線基板の面上で半田付けされて固定される。
【０００５】
【発明が解決しようとする課題】
上記した電気巻線部品は、自動巻線機によって巻線され、コイル端部が端子ピン１２の第１水平部１２ｂにからげられるが、コイル端部に弛みが発生すると、そのコイル端部が第１水平部１２ｂから斜辺部１２ａに抜け出すことがある。
【０００６】
コイル端部の半田付けは自動半田付機などによって第１水平部１２ｂに行なうため、上記のようにコイル端部が抜け出すと、半田付けもれが生じ、後にコイル端部が端子ピン１２から取り外れると言う問題がある。
【０００７】
【課題を解決するための手段】
本発明は、電気巻線部品用端子ピンの上記した問題点を解決することを目的としたもので、  第１水平部と、この第１水平部に続く下向きの斜辺部と、この斜辺部に続く第２水平部とが一体形成された端子ピンであって、第１水平部の基部側を鉄心またはボビンに横向きに植設固着し、かつ、この第１水平部にコイル端部を止着し、第２水平部を配線基板の板面に面上半田する構成の電気巻線部品用端子ピンにおいて、
前記第１水平部の前記斜辺部側となるピン部分を上方に向かって突出させるように折り曲げ形成した段部を設け、
この段部によってコイル端部の抜け出しを係止するように構成したことを特徴とする電気巻線部品用端子ピンを提案する。
【００１０】
【発明の実施の形態】
次に、本発明の実施形態について図面に沿って説明する。
図１は第１実施形態であり、ボビンの鍔に植設した端子ピンを示す部分的な拡大斜視図である。
【００１１】
５０はボビンの鍔下方に形成した肉厚部であり、この肉厚部５０の外面に横向きに突出するように植設した端子ピン５１が設けられている。
【００１２】
この端子ピン５１は、横設基部から横向きに突出した第１水平部５１ａと、斜め下方に折り曲げられた斜辺部５１ｂと、斜辺部５１ｂから再び横向きに折り曲げられた第２水平部５１ｃとからなり、第１水平部５１ａには段部５１ｄが設けてある。
【００１３】
段部５１ｄは、ボビンの巻線部に巻線したコイルの端部をからげる端子部分となるように端子ピン５１の横設基部近くに形成してあり、横設基部から第１水平部５１ａの中程までの間の端子部分を上方から押し潰して第１水平部５１ａの上面に段差が形成されるように設けてある。
【００１４】
図２に示すように、この段部５１ｄにコイル端部５２をからげると、コイル端部５２に多少の弛みが生じた場合でも、コイル端部５２が段部５１ｄの段部面５１ｅと係止されるので、コイル端部５２が上記段部５１ｄ内から斜辺部５１ｂへ抜け出る恐れがない。
段部５１ｂ内にからげられた上記コイル端部５２は、半田付け等によってこの端子ピン５１に止着される。
【００１５】
また、端子ピン５１の第２水平部５１ｃは、プリント配線基板等の取付基板の所定位置に載置されて半田付け等によって固着され、この端子ピン５１を備えた電気巻線部品を取付基板に固定する。
【００１６】
図３は第２の実施形態を示すもので、この実施形態は、端子ピン５３の下面に段差が形成されるように段部５３ｄが設けてある。
【００１７】
段部５３ｄは、横設基部から第１水平部５３ａの中程までの間の端子部分を下方から押し潰すようにして形成してあり、この段部５３ｄにコイル端部５４をからげると、段部５３ｄの段部面５３ｅによってコイル端部５４はその抜け出しが阻止される。
【００１８】
図中の符号５３ｂは端子ピン５３の斜辺部であり、この斜辺部５３ｂは端子ピン５３を斜め上方に折り曲げて形成されている。
５３ｃは取付基板面上に固着される第２水平部、また、５５はボビンの鍔下方に形成された肉厚部である。
【００１９】
図４は第３の実施形態であり、この端子ピン５６は、横設基部から水平に突出した第１水平部５６ａの中程からこの第１水平部５６ａを斜め上方に折り曲げ、第１水平部５６ａに段部５６ｄを形成したものである。
【００２０】
上記した段部５６ｄにコイル端部５７をからげると、斜め上方に折り曲げられた第１水平部５６ａの斜状部分５６ｅが上記コイル端部５７の抜け出しを阻止する。
【００２１】
なお、端子ピン５６は斜辺部５６ｂを図示するように斜め下方に折り曲げてあるが、この斜辺部５６ｂは垂直に折り曲げ形成してもよい。
【００２２】
図中の符号５６ｃは端子ピン５６の第２水平部、５８はボビンの肉厚部を示している。
【００２３】
図５は第４の実施形態であり、この実施形態は端子ピン５９の第１水平部５９ａを中程からほぼ垂直に折り曲げて第１水平部５９ａに段部５９ｄを形成し、この段部５９ｄにからげたコイル端部６０の抜け出しを第１水平部５９ａの垂直部分５９ｅで阻止するようになっている。
【００２４】
図中における符号５９ｂは端子ピン５９の斜辺部、５９ｃは第２水平部、６１はボビンの肉厚部を示している。
【００２５】
なお、上記した各実施形態は、ボビンの肉厚部に植設した端子ピンとして説明したが、取付基板の面上に半田付けされる端子ピンであれば、鉄心に備えた端子ピンであっても同様に実施することができる。
【図面の簡単な説明】
【図１】本発明の第１の実施形態であり、ボビンの鍔に植設した端子ピンの部分的な拡大斜視図である。
【図２】上記端子ピンの縦断側面図である。
【図３】本発明の第２の実施形態であり、ボビンの鍔に植設した端子ピンの部分的な縦断側面図である。
【図４】本発明の第３の実施形態であり、ボビンの鍔に植設した端子ピンの縦断側面図である。
【図５】本発明の第４の実施形態であり、ボビンの鍔に植設した端子ピンの縦断側面図である。
【図６】従来例であり、端子ピンを植設したボビンの拡大斜視図である。
【符号の説明】
５０  ボビン肉厚部
５１  端子ピン
５１ａ  第１水平部
５１ｂ  斜辺部
５１ｃ  第２水平部
５１ｄ  段部
５１ｅ  段部面
５２  コイル端部
【図１】
0003646233.tif 000002
【図２】
0003646233.tif 000003
【図３】
0003646233.tif 000004
【図４】
0003646233.tif 000005
【図５】
0003646233.tif 000006
【図６】
0003646233.tif 000007